(57)【要約】【課題】建物や車両等へ不法に侵入・接近しようとする不審者を効果的に威嚇して退去させ、犯罪の発生を未然に防ぐことのできる防犯システムを提供する。【解決手段】本発明による防犯システムは、不審者に消火剤を噴射することにより威嚇して退去させるものであって、レバー操作により消火剤を噴射する形式の消火器を用いることとし、このレバー操作を制御装置からの遠隔操作によって自動的に行うこととしている。それによって比較的安価にシステムを構築することができると共に、不審者を効果的に威嚇・退去させることが可能である。【選択図】図１
2005165714.tif 000002
【特許請求の範囲】
【請求項１】
ボンベ内に収容した消火剤を噴射ノズルから噴射する消火剤噴射手段と、
前記ボンベ内の消火剤を前記噴射ノズルから噴射させるための遠隔操作を行う制御装置とを具え、
建物または車両へ不法に侵入、接近しようとする不審者に対し、前記制御装置による遠隔操作によって、前記噴射ノズルから前記ボンベ内の消火剤を前記不審者に向けて噴射し、それによって当該不審者を威嚇して退去させる防犯システムであって、
前記消火剤噴射手段が、レバー操作により前記消火剤を前記噴射ノズルから噴射させる消火器であり、
前記レバー操作を前記制御装置による遠隔操作によって自動的に行うレバー操作手段を前記消火器に取り付けたことを特徴とする防犯システム。
【請求項２】
前記レバー操作手段が、前記消火剤の噴射および噴射停止を行うように前記レバーを操作可能であることを特徴とする、請求項１記載の防犯システム。
【請求項３】
前記制御装置が、前記レバー操作手段による前記消火剤の噴射を一定時間行い、その後噴射を停止すること、および、前記消火剤の噴射および噴射停止を一定の時間間隔で繰り返し行うことを特徴とする、請求項２記載の防犯システム。
【請求項４】
前記消火器を、前記建物または車両の壁面または天井の内側、あるいは前記建物または車両内に設置した什器内に配置することを特徴とする、請求項１〜３のいずれか１項記載の防犯システム。
【請求項５】
催涙ガス噴射手段をさらに具えることを特徴とする、請求項１〜４のいずれか１項記載の防犯システム。
【発明の詳細な説明】
【技術分野】
【０００１】
本発明は、銀行、郵便局、貴金属店、コンビニエンスストアなどの店舗や現金輸送車などに設置する防犯システムに関するものである。
【背景技術】
【０００２】
銀行や郵便局、貴金属店、コンビニエンスストアなどの店舗や現金輸送車に対する、現金強奪を目的とした犯罪への対処方法としては、防犯カメラによる監視や非常ベルの吹鳴等と共に警察や警備会社への通報が従来より行われている。
【０００３】
しかしながら、こうした従来の方法は、通常、事件発生後に初めて対処がなされる（警察官、警備員の到着）ものであり、こうした犯罪を未然に防ぐものとは必ずしも言い難いものであった。
【０００４】
こうした問題点に鑑み、犯罪の防止を未然に防ぐ手段として、例えば、本願出願人は、店舗や現金輸送車等に犯罪目的で不法に侵入、接近しようとする不審者を威嚇して退去させるために、当該不審者に対して消火剤（二酸化炭素、粉末）や催涙スプレーを噴射する防犯システムを提案している（特許文献1参照）。
【発明の開示】
【発明が解決しようとする課題】
【０００５】
消火剤を噴射して不審者を威嚇して退去させる場合、従来から家庭や店舗等で広く利用されている消火器を利用することが、比較的安価に防犯システムを構築する上で好適である。かかる消火器は、通常、レバー操作によりボンベ内に収容した消火剤を噴射するようになっているため、このレバー操作を自動的に行うようにすることが望ましい。
【０００６】
消火器のレバー操作を自動的に行う方法としては、例えば感温アクチュエータを用いたり（特許文献2参照）、形状記憶合金を用いる（特許文献3参照）方法が提案されている。
【０００７】
しかしながらこれらの方法では、一旦作動した後に消火剤の噴射を停止することは困難であり、また一定時間噴射した後に噴射を止め、その後再度噴射するといった動作を行うことも不可能である。なぜならば、これらはいずれも、原理的に火災の発生によって消火器の設置箇所が高温になった場合に作動するものであり、それ以外の場合（室温）には作動しないからである。仮に、これらを室温で作動させようとすると、感温アクチュエータや形状記憶合金を加熱・冷却させるための装置が必要となり、そのためのコストがかかることとなる。
【０００８】
消火器から消火剤を噴射することにより不審者を威嚇して退去させる場合には、噴射を短時間行う、または短時間の噴射を複数回繰り返せば良く、そのためには、こうした噴射が可能となるような消火器のレバー操作を自動的に行うことが必要である。
【０００９】
本発明の目的は、上述した問題点に基づき、建物や車両等へ不法に侵入・接近しようとする不審者を効果的に威嚇して退去させ、犯罪の発生を未然に防ぐことのできる防犯システムを提供することにある。
【特許文献１】特開2003-203278号公報
【特許文献２】特開平9-313636号公報
【特許文献３】特開2001-46539号公報
【課題を解決するための手段】
【００１０】
すなわち本発明による防犯システムは、
ボンベ内に収容した消火剤を噴射ノズルから噴射する消火剤噴射手段と、
前記ボンベ内の消火剤を前記噴射ノズルから噴射させるための遠隔操作を行う制御装置とを具え、
建物または車両へ不法に侵入、接近しようとする不審者に対し、前記制御装置による遠隔操作によって、前記噴射ノズルから前記ボンベ内の消火剤を前記不審者に向けて噴射し、それによって当該不審者を威嚇して退去させる防犯システムであって、
前記消火剤噴射手段が、レバー操作により前記消火剤を前記噴射ノズルから噴射させる消火器であり、
前記レバー操作を前記制御装置による遠隔操作によって自動的に行うレバー操作手段を前記消火器に取り付けたことを特徴とするものである。
【００１１】
本発明による防犯システムは、
前記レバー操作手段が、前記消火剤の噴射および噴射停止を行うように前記レバーを操作可能であることを特徴とするものである。
【００１２】
本発明による防犯システムは、
前記制御装置が、前記レバー操作手段による前記消火剤の噴射を一定時間行い、その後噴射を停止すること、および、前記消火剤の噴射および噴射停止を一定の時間間隔で繰り返し行うことを特徴とするものである。
【００１３】
また本発明による防犯システムは、
前記消火器を、前記建物または車両の壁面または天井の内側、あるいは前記建物または車両内に設置した什器内に配置することを特徴とするものである。
【００１４】
さらに本発明による防犯システムは、
催涙ガス噴射手段をさらに具えることを特徴とするものである。
【発明の効果】
【００１５】
本発明による防犯システムは、不審者に消火剤を噴射することにより威嚇して退去させるものであって、レバー操作により消火剤を噴射する形式の消火器を用いることとし、このレバー操作を制御装置からの遠隔操作によって自動的に行うこととしている。それによって比較的安価にシステムを構築することができると共に、不審者を効果的に威嚇・退去させることが可能である。
【００１６】
本発明による防犯システムにおいては、制御装置による消火器のレバー操作を、消火剤の噴射および噴射停止が行えるようにするものとしている。それによって、不審者を威嚇・退去させるために噴射を短時間行う、または短時間の噴射を複数回繰り返して行うことが可能となる。この場合、消火剤の噴射を一定時間行い、その後噴射を停止すること、および、前記消火剤の噴射および噴射停止を一定の時間間隔で繰り返し行うことが好適である。
【００１７】
また本発明による防犯システムにおいては、消火器を建物または車両の壁面または天井の内側、あるいは建物または車両内に設置した什器（カウンター、収納ケース等）内に設けることとしている。すなわち、不審者の目につかない位置、不審者からは見えない場所に消火器を設置することにより、消火剤噴射によって効果的に不審者を威嚇することが可能となる。
【００１８】
さらに本発明による防犯システムにおいては、催涙ガス噴射手段をさらに具えることとしても良い。催涙ガスを浴びた不審者は、咳き込んだり、目から涙が流れたり、一時的に瞼が開かなくなったりすることにより行動が制約されたり、犯罪行為を行おうとする意欲を喪失したりすることとなるからである。
【発明を実施するための最良の形態】
【００１９】
以下、図面を参照して本発明の好適な実施形態について説明する。
【００２０】
図1は本発明による防犯システムの一実施形態の構成を示すものである。本防犯システム10は、複数（図では3本）のレバー操作式の消火器11、これら各消火器の操作レバー12にそれぞれに取り付けた、これらレバーを操作することによりノズル13から消火器内部の消火剤を噴射させるアクチュエータ14、制御装置15、遠隔操作スイッチ16、スピーカー17、警報ランプ18およびテレビカメラ19を具える。
【００２１】
消火器11はレバー12の操作によってノズル13から消火剤を噴射するものであるが、このシステム10ではアクチュエータ14の動作によってレバー12の操作が行われる。アクチュエータ14はケーブル20によって制御装置15と接続し、制御装置15からの制御信号によってレバー操作を行う。
【００２２】
消火器11としては、住宅や店舗、事務所等で広く利用されている市販の消火器を用いることが、システムのコスト低減化の観点から好適であり、特に不審者を効果的に威嚇できる点で二酸化炭素消火器や粉末消火器、泡消火器を利用することが望ましい。
【００２３】
制御装置15は遠隔操作スイッチ16とケーブル21によって有線で接続し、この遠隔操作スイッチ16での操作により、制御装置15はアクチュエータ14、スピーカー17および警報ランプ18およびテレビカメラ19の制御を行う。なお、図では制御装置15と遠隔操作スイッチ16がケーブル21によって接続しているが、これに代えて無線により交信するものとしても良い。
【００２４】
遠隔操作スイッチ16は、通常、消火器11、スピーカー17、警報ランプ18およびテレビカメラ19の設置箇所から離れた場所に設けられ、警備員等が携帯する形式、あるいは監視室等に固定して設置される形式のいずれでも良い。
【００２５】
スピーカー17は制御装置15とケーブル22で接続し、遠隔操作スイッチ16での操作に応じて警報音を吹鳴する。また警報ランプ18も制御装置15とケーブル23で接続し、遠隔操作スイッチ16での操作に応じて点灯または点滅する。さらにテレビカメラ19も制御装置15とケーブル24で接続し、設置された室内または車内を撮影する。なお、テレビカメラ19で撮影された映像は、図示しないテレビ画面に表示され、また必要に応じて図示しないビデオ録画によってビデオ録画がなされるものとすることができる。
【００２６】
図2は、図1の防犯システム10における消火器11および、これに取り付けたアクチュエータ14を示すものである。前述したように、消火器11は従来より家庭や店舗等で広く使用されているレバー操作式のものである。レバー12は可動レバー12aと固定レバー12bからなり、可動レバー12aは軸12cおよび図示しないばねによって、軸12c周りに図の両矢印Aで示す方向に動くようになっている。可動レバー12aを図の下方（開方向）へ押し下げると、消火器11内部の図示しない弁が開き、ノズル13から消火剤が噴射される。一方、可動レバー12aを上方（閉方向）へ持ち上げると、前述した弁が閉じ、消火剤の噴射が止まるようになっている。
【００２７】
図示の消火器11においては、レバー12の操作をアクチュエータ14によって行うこととしている。アクチュエータ14は、アクチュエータ本体25およびロッド26を具え、本体25内に収容した後述する駆動機構によってロッド26を両矢印Bで示す方向に上下させるようになっている。アクチュエータ14はケーブル20で図示しない制御装置15（図1参照）と接続し、制御装置15からの制御信号により駆動機構が動作する。
【００２８】
ロッド26の先端にはレバー収容ケース27が取り付けられている。レバー収容ケース27は消火器11の可動レバー12aを収容するように箱状になっており、またケース27は軸28によって両矢印Cで示す方向に首振り可能となっている。ここで、アクチュエータ14のロッド26が下降すると、図に破線で示すように可動レバー12aが押し下げられ、ロッド26が上昇すると、可動レバー12aが押し上げられる。すなわち、消火器11のノズル13から消火剤の噴射と、噴射の停止がアクチュエータ14の動作によって行われることとなる。
【００２９】
アクチュエータ14は、取付部材29によって消火器11に取り付けられる。取付部材29はアクチュエータ支持部30および固定バンド31からなり、固定バンド31を消火器11の外周に取り付けることにより、アクチュエータ14を消火器11に固定する。また、アクチュエータ支持部30に設けた軸32により、アクチュエータ14の本体25は両矢印Dで示す方向に揺動するようになっている。これは、ロッド26の伸縮と、それに伴う可動レバー12aの動作が滑らかに行われるようにするためのものである。
【００３０】
図3はアクチュエータ14の内部構造を示すものである。アクチュエータ本体25内部にはモータ33および内筒34が収容されており、ロッド26は内筒34内に収容され、両者の間にはブシュ35が嵌め込まれている。図示のようにロッド26は中空になっており、内部にはスクリューシャフト36が挿入されている。またロッド26の下端部はねじブシュ37と当接している。スクリューシャフト36はカップリング38を介してモータ33の回転軸39と結合している。さらにねじブシュ37は回り止めねじ40によって回転不能にされている。スクリューシャフト36表面にはねじ山36aが、ねじブシュ37内面にはねじ山37aがそれぞれ形成されており、両者は相互に噛み合っている。さらに、内筒34には、後述するようにねじブシュ37の移動に伴って回り止めねじ40が移動できるように細長の溝34aを形成している。なお、ねじブシュ37の上昇はブシュ35によって、下降はストッパ41によってそれぞれ上限および下限が規制されている。
【００３１】
次に、このアクチュエータ14の動作について説明する。モータ33の回転軸39の回転に伴ってスクリューシャフト36が回転し、それによってねじブシュ37が上昇または下降する。ねじブシュ37は回り止めねじ40によって回転不能となっているからである。このねじブシュ37の上昇によってロッド26が押し上げられて上昇（図に破線で示す）し、ねじブシュ37の下降に伴ってロッド26は下降することとなる。図2にも示したように、このロッド26の上昇／下降によって消火器11の操作レバー12の可動レバー12aが動作し、それによって消火器11のノズル13から消火剤が噴射され、あるいは噴射が停止することとなる。
【００３２】
ロッド26を上昇／下降させるためには、これに合わせてモータ33を正転／逆転させる必要があるが、そのための制御信号はケーブル20を通して制御装置15から送られる。ここで、ロッド26を下降させる場合を正転方向、上昇させる場合を逆転方向とすると、ロッド26を下降させて操作レバー12の可動レバー12aを押し下げ、消火剤をノズル13から噴射させる時には、制御装置15からはモータ33を正転させる信号が出力される。一方、ロッド26を上昇させて可動レバー12aを押し上げ、消火剤の噴射を止める時には、制御装置15からはモータ33を逆転させる信号が出力される。なお、モータ33の正転／逆転それぞれの起動は、前述したブシュ35およびストッパ41近傍にそれぞれ設けた図示しないリミットスイッチにより行うこととする。
【００３３】
したがって、制御装置15からモータ33を正転させる信号を出力してから一定時間経過した後にモータ33を逆転させる信号を出力することにより、消火器11から一定時間だけ消火剤を噴射させることができる。また、一定の時間間隔でモータ33の正転／逆転動作を繰り返すように信号を出力することにより、消火器11から一定の時間間隔で消火剤を間欠的に噴射することができる。
【実施例１】
【００３４】
図4は、本発明による防犯システムを現金輸送車に設けた例を示すものである。
【００３５】
現金輸送車50の貨物室51の壁52の裏側に消火器53を、そのノズル54の開口部が後壁52から貨物室51に向けて消火剤を噴射するように取り付ける。また消火器53には、レバー操作用のアクチュエータ55を取り付けている。また貨物室51内には警報ランプ56およびスピーカー57を設置し、また車体にも外部警報ランプ58を設置する。制御装置59を運転室60内に設置し、警備員61は遠隔操作スイッチ62を携帯（図ではベルトに装着）している。なお、ここでは遠隔操作スイッチ62と制御装置59は無線で信号伝達を行う形式のものである。
【００３６】
なお、壁52に取り付けたノズル54は、壁52の塗装等によって、その存在が判らないようにしておくことは言うまでもない。さらに、消火器53は複数設置することが望ましい。
【００３７】
次に、図4に示す防犯システムの動作について説明する。
【００３８】
不審者が現金輸送車50の貨物室51内に侵入した場合、警備員61が、携帯している遠隔操作スイッチ62を操作すると、このスイッチ62からの動作信号が無線で制御装置59へ伝達される。次いで制御装置59からの信号によりアクチュエータ55が作動して消火器53内の消火剤がノズル54から貨物室51内へ噴射される。また、これと同時にスピーカー57から警報音が発せられ、警報ランプ56，58が点灯あるいは点滅する。
【００３９】
ノズル54からの消火剤（二酸化炭素、粉末または泡）の噴射、スピーカー57からの警報音および警報ランプ56，58の点灯（または点滅）によって、貨物室51内での侵入者の行動が阻止され、また現金輸送車50の周囲にも侵入者の存在が報知されることとなり、それによって犯罪を未然に防ぐことができるようになる。なお、貨物室51内にさらにテレビカメラを設置し、侵入者を撮影することができるようにしても良いことは言うまでもない。また、外部の警報ランプ58に加えて、警報音を吹鳴するスピーカーを併置しても良い。さらに、貨物室51内に、やはり制御装置59で動作を制御する催涙ガススプレーを追加して設けても良い。
【実施例２】
【００４０】
図5は、本発明による防犯システムをコンビニエンスストア等の店舗に設けた例を示すものである。
【００４１】
店舗70においては、レジカウンター71の内側および天井72の裏側に、アクチュエータ73によって動作する消火器74を設置し、それぞれノズル75の開口部から店舗内へ消火剤を噴射するようにノズル75を取り付ける。天井72には警報ランプ76およびビデオカメラ77を取り付け、また壁面79にはスピーカー79を取り付けている。床面80上には制御装置81および遠隔操作スイッチ82を設置している。ここで遠隔操作スイッチ82はフットスイッチ式のものとし、従業員83が足でフットスイッチ84を操作することにより動作するものである。なお、遠隔操作スイッチ82は、カウンター71上面の裏側等に取り付け、従業員83が手で操作するようにしても良い。
【００４２】
なお、当然のことであるが、消火器74のノズル75、制御装置81および遠隔操作スイッチ82は、これらの存在が従業員以外には判らないようにしておかなければならないことは言うまでもない。
【００４３】
次に、図5に示す防犯システムの動作について説明する。
【００４４】
現金強奪等を目的とした侵入者がレジカウンター71に接近した場合、従業者83が足で遠隔操作スイッチ82のフットスイッチ84を踏むと、遠隔操作スイッチ82からの動作信号が制御装置81に伝達される。次いで制御装置81からの信号によりアクチュエータ73が作動して消火器74内の消火剤がノズル75から店舗内の侵入者に向けて噴射される。また、これと同時にスピーカー79から警報音が発せられ、警報ランプ76が点灯あるいは点滅する。
【００４５】
この例においても、ノズル75からの消火剤の噴射、スピーカー79からの警報音および警報ランプ76の点灯（または点滅）によって、店舗70内での侵入者の行動が阻止され、それによって犯罪を未然に防ぐことができるようになる。なお、これらの動作と並行してビデオカメラ77によって侵入者の行動を常に撮影しておくことは言うまでもない。加えて、制御装置81あるいは遠隔操作スイッチ82を通して警察または警備会社への通報が行われるようにすることが望ましい。さらに、この実施例においても、制御装置81で動作を制御する催涙ガススプレーを追加して設けても良い。
【００４６】
なお、上述した各実施形態においては、消火器のレバー操作を行うアクチュエータとして回転モータとスクリューシャフトを用いてロッドを昇降させる形式のものを用いているが、これに代えて、リニアモータに直接ロッドを取り付けることとしても良い。また、これら電動式のアクチュエータに代えて、電気信号で作動するガス圧駆動式のアクチュエータも利用可能であることは言うまでもない。さらに、アクチュエータの動作として、可動レバーと固定レバーをクランプするようにしてレバー操作を行うこととしても良い。
【産業上の利用可能性】
【００４７】
以上説明したように、本発明による防犯システムは、不審者に消火剤を噴射することにより威嚇して退去させるものであって、レバー操作により消火剤を噴射する形式の消火器を用いることとし、このレバー操作を制御装置からの遠隔操作によって自動的に行うこととしている。それによって比較的安価にシステムを構築することができると共に、不審者を即刻かつ効果的に威嚇・退去させることが可能となる。
【００４８】
さらに、本システムで用いている、アクチュエータによりレバー操作式の消火器を自動的に動作させる方法は、防犯のみならず、火災発生時に消火作業を行うための自動消火装置としても利用することができる。
【図面の簡単な説明】
【００４９】
【図１】本発明の一実施形態の構成を示す図である。
【図２】本発明による防犯システムに用いる消火器および、これに取り付けたアクチュエータを示す図である。
【図３】図２のアクチュエータの内部構造を示す断面図である。
【図４】本発明による防犯システムを現金輸送車に設けた例を示す図である。
【図５】本発明による防犯システムを店舗に設けた例を示す図である。
【符号の説明】
【００５０】
10  防犯システム
11，53，74  消火器
12  消火器の操作レバー
13，54，75  消火器のノズル
14，55，73  アクチュエータ
15，59，81  制御装置
16，62，82  遠隔操作スイッチ
17，57，79  スピーカー
18，56，58，76  警報ランプ
19  テレビカメラ
20，21，22，23，24  ケーブル
25  アクチュエータ本体
26  ロッド
27  レバー収容ケース
28，32  軸
29  取付部材
30  取付部材のアクチュエータ支持部
31  取付部材の固定バンド
33  モータ
34  内筒
35  ブシュ
36  スクリューシャフト
37  ねじブシュ
38  カップリング
39  モータ33の回転軸
40  回り止めねじ
41  ストッパ
50  現金輸送車
51  現金輸送車の貨物室
52  貨物室の壁
50  運転室
61  警備員
70  店舗
71  レジカウンター
72  天井
79  店舗の壁面
80  店舗の床面
83  店舗従業員
84  フットスイッチ
【図１】
2005165714.tif 000003
【図２】
2005165714.tif 000004
【図３】
2005165714.tif 000005
【図４】
2005165714.tif 000006
【図５】
2005165714.tif 000007